(57)【要約】【課題】軸受の外輪の外周面及びハウジングの内周面の摩耗を防止することができる軸受ユニットを提供する。【解決手段】この軸受ユニット１は、軸２と、前記軸２に内輪３１の内周面３１ａが嵌合した転がり軸受３と、前記転がり軸受３の外輪３２の外周面３２ａに対して軸方向へ摺動可能に嵌合したハウジング４とを備えている。前記外輪３２の外周面３２ａ及びハウジング４の内周面４４の少なくとも一方には、潤滑剤を保持する周溝５が形成されている。【選択図】      図１
2004245315.tif 000002
【特許請求の範囲】
【請求項１】
軸と、前記軸に内輪の内周面が嵌合した転がり軸受と、前記転がり軸受の外輪の外周面に対して軸方向へ摺動可能に嵌合したハウジングとを備える軸受ユニットであって、
前記転がり軸受の外輪の外周面及びハウジングの内周面の少なくとも一方には、潤滑剤を保持する周溝が形成されていることを特徴とする軸受ユニット。
【請求項２】
前記ハウジングの内周面が、前記転がり軸受の外輪の外周面と摺接するセラミックリングで構成されていることを特徴とする請求項１に記載の軸受ユニット。
【発明の詳細な説明】
【０００１】
【発明の属する技術分野】
本発明は、内輪の内周面に嵌合された軸を回転可能に支持する軸受が、軸と一体となってハウジングに対して軸方向に摺動可能な軸受ユニットに関するものである。
【０００２】
【従来の技術】
例えば、回転陽極Ｘ線管には、軸を支持する軸受と、軸受の外輪の外周面と摺接したハウジングとを備え、軸受が軸と一体となってハウジングの内周面を摺動しながら軸方向にスライド可能な軸受ユニットが用いられている。ところが、この軸受ユニットは、ハウジングの内周面が軸受のスライドによって早期に摩耗し、かじりが生じ、滑らかにスライドできなくなる場合があった。そこで、軸受が円滑にスライドできるように、軸受の外輪の外周面にダイヤモンドライクカーボン又は鉛の薄膜がコーティングされたものが提案されている（例えば、特許文献１）。
【０００３】
【特許文献１】
特開２０００−２０８０７８号公報（第３頁、第１図）
【０００４】
【発明が解決しようとする課題】
上記のような従来の軸受ユニットは、外輪の外周面に施された薄膜コーティングの耐久性が未だ十分ではなく、摩耗の進行を抑止する効果が長期的に得られなかった。
また、薄膜コーティングは、軸受の外輪の外周面のみに施されており、この外輪の外周面が摺接するハウジング内周面の摩耗を抑止するものではなかった。
【０００５】
本発明は、上記の事情に鑑みてなされたもので、軸受の外輪の外周面及びハウジングの内周面の摩耗の進行を抑止することで、耐久性をさらに向上することができる軸受ユニットを提供することを目的とする。
【０００６】
【課題を解決するための手段】
本発明に係る軸受ユニットは、軸と、前記軸に内輪の内周面が嵌合した転がり軸受と、前記転がり軸受の外輪の外周面に対して軸方向へ摺動可能に嵌合したハウジングとを備える軸受ユニットであって、前記転がり軸受の外輪の外周面及びハウジングの内周面の少なくとも一方には、潤滑剤を保持する周溝が形成されている。
この軸受ユニットによれば、外輪の外周面及びハウジングの内周面の少なくとも一方に形成された周溝に潤滑剤が保持されつつ、適量がその外部へ供給される。従って、外輪の外周面及びハウジングの内周面の摩耗の進行を抑止することができる。
【０００７】
また、前記ハウジングの内周面が、前記転がり軸受の外輪の外周面と摺接するセラミックリングで構成されているのが好ましい。
この場合には、ハウジングの内周面が耐摩耗性に優れるセラミックリングで構成されているので、ハウジングの内周面の摩耗の進行をさらに抑止することができる。
【０００８】
【発明の実施の形態】
以下、図面を参照しつつ、本発明の第一実施形態を説明する。
図１は、第一実施形態に係る軸受ユニット１の断面図を示す。
図１に示すように、この軸受ユニット１は、中空円筒の軸２と、軸２の外周面２１に内輪３１の内周面３１ａが嵌合した転がり軸受３と、転がり軸受３の外輪３２の外周面３２ａと摺接するハウジング４とを備えている。
転がり軸受３は、内輪３１と、外輪３２と、内輪３１と外輪３２との間に転動自在に配置される複数の玉３３と、玉３３を保持する保持器（図示せず）とを有する玉軸受である。
【０００９】
外輪３２の外周面３２ａには、例えば、断面円弧状の周溝５が形成されている。この周溝５は、軸方向に所定の間隔で、例えば、２列形成され、それぞれの周溝５には、潤滑剤６が充填されている。充填される潤滑剤６は、オイル、グリース、固体潤滑剤等が用いられる。
ハウジング４は、例えば、ステンレス製で、軸２と同心に設けられた環状の円筒部４１と、円筒部４１の一端から径方向外方に延設された円盤状の平板部４２と、平板部４２の周縁から下方に延設された環状の延設部４３を有している。
延設部４３の内周面４４は、外輪３２の外周面３２ａと摺接し、その内周面４４に沿って、軸２と玉軸受３が一体となって軸方向へ摺動可能となっている。
【００１０】
この軸受ユニット１は、軸２に回転力が与えられると、玉軸受３に支持された軸２がハウジング４の内部で円滑に回転する。ハウジング４は、玉軸受３とともに軸２の芯振れを防止し、玉軸受３は、軸２と一体となってハウジング４の内周面４４に沿って軸方向に若干スライドすることができる。
【００１１】
この玉軸受３と軸２が一体となって、ハウジング４の内周面４４に沿って軸方向にスライドする時、玉軸受３の周溝５に充填された潤滑剤６は、周溝５に保有されつつ、適量が外輪３２の外周面３２ａとハウジング４の内周面４４との間に供給される。従って、外輪３２の外周面３２ａとハウジング４の内周面４４との摩擦抵抗が減少し、かじりの発生や、外輪３２の外周面３２ａ及びハウジングの内周面４４の摩耗の進行を抑止することができる。
上述した軸受ユニット１は、軸２、玉軸受３及びハウジング４等が組み付けられたユニットとして納入することができる。従って、外輪３２の外周面３２ａとハウジング４の内周面４４との隙間調整を納入先で行う必要がなく、保守管理が容易である。
【００１２】
図２に、第二実施形態の軸受ユニット１の断面図を示す。
この軸受ユニット１は、上述の軸受ユニット１のハウジング４の内周面４４が、円筒状のセラミックリング７で構成されている。
このセラミックリング７で構成されたハウジング４の内周面４４は、外輪３２の外周面３２ａと摺接し、その内周面４４に沿って軸２と玉軸受３が一体となって軸方向に若干スライドすることができる。
セラミックリング７は、耐摩耗性に優れる、例えば、窒化珪素、アルミナ、ジルコニア、炭化珪素からなるもので、ハウジング４の平板部４２にボルト７１によって脱着可能に設けられている。
【００１３】
この玉軸受３と軸２が一体となって、セラミックリング７で構成された内周面４４に沿って軸方向にスライドする時、玉軸受３の周溝５に充填された潤滑剤６は、周溝５に保有されつつ、適量が外輪３２の外周面３２ａとセラミックリング７で構成された内周面４４との間に供給される。従って、外輪３２の外周面３２ａとセラミックリング７で構成された内周面４４との摩擦抵抗が減少し、かじりの発生や、外輪３２の外周面３２ａ及びセラミックリング７で構成された内周面４４の摩耗の進行を抑止することができる。
また、セラミックリング７で構成された内周面４４は、上記の通り摩耗の進行が抑止されるとともに、セラミックリング７自体が耐摩耗性に優れているので長寿命である。従って、軸受ユニット１は、玉軸受３のみを交換することで長期使用が可能である。
【００１４】
なお、本発明は上述した実施形態に限定されるものではない。
例えば、周溝５は、ハウジング４の内周面４４に形成されても良い。また、周溝５は、断面矩形状に形成されても良い。更に、その列数は１列でも良く、周方向に不連続に形成されても良い。
【００１５】
【発明の効果】
以上説明したように、本発明の軸受ユニットによれば、外輪の外周面に形成された周溝に潤滑剤が保持されつつ、適量がその外部へ供給される。従って、ハウジングの内周面及び当該内周面に摺接する外輪の外周面の摩耗の進行を抑止することができ、軸受ユニットの耐久性を向上させることができる。
【図面の簡単な説明】
【図１】第一実施形態に係る軸受ユニットの断面図である。
【図２】第二実施形態に係る軸受ユニットの断面図である。
【符号の説明】
１      軸受ユニット
２      軸
２１    軸の外周面
３      転がり軸受
３１    内輪
３１ａ  内輪の内周面
３２    外輪
３２ａ  外輪の外周面
４      ハウジング
４４    ハウジングの内周面
５      周溝
６      潤滑剤
７      セラミックリング
【図１】
2004245315.tif 000003
【図２】
2004245315.tif 000004